(57)【要約】      （修正有）【課題】苗木と支持部材との間隔を、簡単、迅速に調節でき、苗木や支持部材に端部をゆるやかに巻き付けたり、端部の巻き付け長さを変更して苗木と支持部材との間隔を調節できるようにする園芸用磁石バンドを提供する。【解決手段】苗木類１を支持部材２に固定するため、本体３を軟質材で帯状に形成する。この本体３の両端側３ａ、３ｂを磁力で吸着可能に形成する。上記の本体３の両端側３ａ、３ｂを、本体３の長さ方向に延ばして所定の長さだけ同種の磁極４に形成する。この両端側３ａ、３ｂの間の本体部分３ｃを両端側３ａ、３ｂとは異種の磁極４に形成する。この本体部分３ｃに両端側３ａ、３ｂを磁力で吸着可能に形成する。【選択図】図１
0003180054.tif 000002
【実用新案登録請求の範囲】
【請求項１】
苗木類を支持部材に固定するため、本体が軟質材で帯状に形成されていると共に、この本体の両端側が磁力で吸着可能に形成されている園芸用磁石バンドであって、上記の本体の両端側が本体の長さ方向に延ばされて所定の長さだけ同種の磁極に形成され、この両端側の間の本体部分が両端側とは異種の磁極に形成され、この本体部分に両端側が磁力で吸着可能に形成されていることを特徴とする園芸用磁石バンド。
【請求項２】
請求項１記載の園芸用磁石バンドであって、本体が弾力性を有して形成されていることを特徴とする園芸用磁石バンド。
【請求項３】
請求項１又は２記載の園芸用磁石バンドであって、本体の一端側の帯幅より他端側の帯幅が狭く形成されていることを特徴とする園芸用磁石バンド。
【考案の詳細な説明】
【技術分野】
【０００１】
本考案は、園芸用磁石バンドに関し、更に詳しくは野菜や果樹等を栽培する際に、苗木や枝（苗木類という）を、支柱やワイヤー等の支持部材に固定するのに使用する園芸用磁石バンドに関するものである。
【背景技術】
【０００２】
従来、この種の器具としては、例えば特許文献１に記載されているものがある。
この従来品は、紐の両端に、マグネットホルダーが取り付けられ、このホルダーに収納されているマグネットで紐の両端を吸着させ、苗木等を支持部材に固定できるよう形成されている。
【０００３】
ところで、この種の器具は、苗木と支持部材との間隔を、苗木の種類や大きさ、また固定する位置（高さ）等に応じて調節しないと、苗木が風で支持部材に当たって茎や葉を傷付け易くなる。
従って、この種の器具は、苗木と支持部材との固定間隔を、現場で簡単、迅速に調節できるよう形成されているのが望ましい。
【０００４】
しかるに、従来品は、マグネットホルダーの端部に、紐を挟み付けるための爪が向かい合わせに設けられ、この爪の挟持力に抗して紐を引くことによりマグネットホルダーと紐との位置を変え、この種の調節作業を行う構造であった。
従って、従来品は、苗木と支持部材との間隔調節が不便で煩わしさを伴ったから、従来品によると、苗木の固定作業に手間暇がかかる、という問題点があった。
【０００５】
また従来品は、上記の通り、マグネットで紐の両端を吸着させ、苗木を支持部材に固定する構造であった。
従って、従来品は、紐の一方の端部を支持部材に巻き付け、他方の端部を苗木に巻き付けて上下方向から見たとき、ほぼ８の字形を呈するように、苗木と支持部材とを固定することができなかった。
【０００６】
換言すると、従来品は、紐を苗木にゆるやかに巻回して固定することができなかったから、苗木が成長すると、茎に紐が食い込んで茎を傷めることがあった。
そのため、従来品によると、苗木の成長に合せて、固定作業を遣り直す必要があり、使い勝手が悪い、という問題点があった。
【先行技術文献】
【特許文献】
【０００７】
【特許文献１】特開２００９−２９７００５号公報
【考案の概要】
【考案が解決しようとする課題】
【０００８】
本考案は、このような従来技術の問題点に鑑み、提案されたものである。
従って本考案の解決しようとする技術的課題は、苗木と支持部材との間隔を、簡単、迅速に調節でき、苗木に端部をゆるやかに巻き付けたり、端部の巻き付け長さを変更することで苗木と支持部材との間隔を調節できるよう形成した、使い勝手の良い園芸用磁石バンドを提供することにある。
【課題を解決するための手段】
【０００９】
本考案は、上記の課題を解決するため、次のような技術的手段を採る。
即ち本考案は、図１等に示されるように、苗木類１を支持部材２に固定するため、本体３が軟質材で帯状に形成されていると共に、この本体３の両端側３ａ、３ｂが磁力で吸着可能に形成されている園芸用磁石バンドであって、上記の本体３の両端側３ａ、３ｂが本体３の長さ方向に延ばされて所定の長さだけ同種の磁極４に形成され、この両端側３ａ、３ｂの間の本体部分３ｃが両端側３ａ、３ｂとは異種の磁極４に形成され、この本体部分３ｃに両端側３ａ、３ｂが磁力で吸着可能に形成されていることを特徴とする（請求項１）。
【００１０】
本考案の場合、通常、厚みは、０.８〜１.00ｍｍ程度に、また幅は、５〜２５ｍｍ程度に形成されるが、これに限定されるものではない。また本考案は、磁力の強化や、取り扱いの容易化を図るため、通常、片面に磁極４が形成され、且つ各磁極４は図１Ｃ等に示されるように、幅方向（図面上、上下方向）に正負の磁極４が繰り返されて多極構造に形成されるが、これに限定されるものではない。
【００１１】
またここで、所定の長さとは、本体３の全長や、巻き付ける苗木１の種類、茎の太さ、支持部材２の太さ等に応じて、本考案の課題を達成するのに必要となる長さを意味する。従って、この長さは、本体３の一端側３ａと他端側３ｂで同じである必要はなく、一端側３ａと他端側３ｂで長さが異なるのでも良い。
【００１２】
而して、本考案は、本体３が弾力性を有して形成されているのが好ましい（請求項２）。
【００１３】
なぜならこの場合は、苗木１に他端側３ｂを遊びをもって巻き付けたとき、湾曲形態を確実に保持でき、茎を傷めることを防止できるからである。またこれによると、帯状の本体３が伸びるため、風の力が茎に直に伝わって茎を傷めることを防止できるからである。なお、この本考案は、具体的には、本体３をゴム材等の弾性材料で形成することにより実現される。
【００１４】
また本考案は、本体３の一端側３ａの帯幅より他端側３ｂの帯幅が狭く形成されているのが好ましい（請求項３）。
【００１５】
なぜならこれによると、定植時で苗木１が小さいとき、帯幅の広い一端側３ａを支持部材２に、他端側３ｂを苗木１に巻き付けることにより、苗木１を傷めることなく、且つ支持部材２に対しては、しっかりとした状態で固定できるからである。
【考案の効果】
【００１６】
本考案は、このように本体の両端側が本体の長さ方向に延ばされて所定の長さだけ同種の磁極に形成され、この両端側の間の本体部分が両端側とは異種の磁極に形成され、この本体部分に両端側が磁力で吸着可能に形成されている。
【００１７】
従って、本考案は、一端側を苗木類に、他端側を支持部材に巻き付け、本体を、ほぼ８の字状に形作って、両端側を本体部分に吸着させるだけで苗木類と支持部材を固定できる。それ故、これによれば、苗木類と支持部材との固定作業、間隔の調節作業を、簡単、迅速にできる。
【００１８】
また本考案は、一端側を支持部材にきつく巻き付け、他端側を茎に遊びをもってゆるめに巻き付けることができる。
従って、本考案の場合は、苗木が成長して茎が太くなっても、すぐには固定し直す必要がないから、これによれば、作業が楽になり、使い勝手が良い、という利点がある。
【図面の簡単な説明】
【００１９】
【図１】本考案バンドの好適な一実施形態を示し、Ａは使用状態時の斜視図、Ｂは平面図、Ｃは本体の構造を説明するための一部を切欠した構成図である。
【図２】同上バンドの使用状態時の正面図である。
【図３】同上バンドの一部を切欠した平面図である。
【図４】同上バンドの使用状態時の一部を切欠した要部正面図である。
【図５】Ａは図４のＶＡ−ＶＡ線における断面図、Ｂは図４のＶＢ−ＶＢ線における断面図である。
【図６】同上バンドの他の実施形態を示す使用状態時の斜視図である。
【図７】図６の本考案品の平面図である。
【図８】図６の本考案品の使用状態時の正面図である。
【図９】図６の本考案品の構造を説明するための一部を切欠した構成図である。
【図１０】Ａは図９のＸＡ−ＸＡ線における断面図、Ｂは図９のＸＢ−ＸＢ線における断面図、Ｃは図９のＸＣ−ＸＣ線における断面図である。
【考案を実施するための形態】
【００２０】
以下、本考案の好適な一実施形態を、添付図面に従って説明する。
本考案は、図１等に示されるように、苗木類１（苗木１や枝等をいう）を支持部材２に固定するため、本体３が軟質材で帯状に形成されていると共に、この本体３の両端側３ａ、３ｂが磁力で吸着可能に形成されている園芸用磁石バンドである。
【００２１】
上記の本体３の両端側３ａ、３ｂは、本体３の長さ方向に延ばされて所定の長さだけ同種の磁極４に形成されている。この実施形態では、両端側３ａ、３ｂがＳ極（負極）に、且つ長さが同じ状態に形成されている。また本考案品は、両端側３ａ、３ｂの間の本体部分３ｃが、両端側３ａ、３ｂとは異種の磁極４（この実施形態ではＮ極）に形成されている。
【００２２】
両端側３ａ、３ｂと本体部分３ｃは、この実施形態では合成ゴムにイリジウム磁石粉末が混ぜ合わされ、本体３の片面だけが多極構造に形成されている。
即ち、本体３の両端側３ａ、３ｂは、図１Ｃに示されるように、本体３の長さ方向に磁極４がライン状に延ばされ、且つ図面上、上下方向（幅方向）に、上からＳ極、Ｎ極、Ｓ極、Ｎ極の順で交互に配置されて横縞模様の多極構造に形成されている。
【００２３】
また本体部分３ｃは、同図に示されるように、本体３の長さ方向にＮ極とＳ極が延ばされ、且つ図面上、上下方向（幅方向）に、上からＮ極、Ｓ極、Ｎ極、Ｓ極の順で交互に配置されて横縞模様の多極構造に形成されている。
【００２４】
この実施形態の本考案品は、このように本体３が合成ゴムで成形され、弾力性を有して一体状に形成されている。また本体３の厚みは、この実施形態では１.00ｍｍに、本体３の長さは１２０ｍｍ、両端側３ａ、３ｂの長さは夫々３８ｍｍ、本体部分３ｃの長さは４４ｍｍに、そして幅は２０ｍｍに選定されている。
【００２５】
次に本考案品の使用例及び作用を説明する。
先ず作業者は、一端側３ａを支持部材２としての支柱に密着させて巻き付け、本体部分３ｃに吸着させる。この場合、本考案品は、一端側３ａがＳ極、本体部分３ｃがＮ極のため、磁極４が互いに引き合い、その結果、支持部材２が竹や合成樹脂製の場合でも、一端側３ａが支持部材２に、しっかりと密着して固定される。
【００２６】
次に作業者は、他端側３ｂを苗木１の茎に巻き付け、本体部分３ｃに吸着させる。この場合、他端側３ｂは、図１Ｂに示されるように、茎にゆるく巻き付ける。
【００２７】
而して、この実施形態の場合、他端側３ｂはＳ極、本体部分３ｃはＮ極のため、作業者が他端側３ｂを本体部分３ｃに重ね合わすと、磁極４が互いに引き合う結果、他端側３ｂは本体部分３ｃに、しっかりと吸着される（図５Ａ参照）。
【００２８】
また他端側３ｂは、図５Ｂに示されるように、苗木１の周りに、Ｓ極、Ｎ極が対向状に配置される。従って、他端側３ｂは、磁極４が互いに斥け合い、その反発力で内面が離されるため、これによれば、苗木１と他端側３ｂの内面との接触が防止され、茎を傷めることがない。
【００２９】
而して、本考案は、苗木１と支持部材２の間隔を調節し直す場合は一端側３ａと他端側３ｂの巻き付け長さを変えることで済む。従って、本考案によれば、苗木１と支持部材２との間隔を、簡単、迅速に調節できる。
また本考案品を苗木１等から取り外すときは、一端側３ａと他端側３ｂを、本体部分３ｃから引き剥がすことで済む。従って、本考案によれば、苗木１と支持部材２の固定状態の解除も、簡単、迅速にできる。
【００３０】
以上の処において、本考案は、合成ゴムで弾力質に形成されている場合には限られない。即ち、本考案品は、合成ゴムに代え、軟質性の合成樹脂材で形成されているのでも良い。
【００３１】
また本考案は、図６等に示されるように、本体３の一端側３ａの帯幅より他端側３ｂの帯幅が狭く形成されているのでも良い。定植時の苗木１は小さく、茎が細いのが通例である。この本考案品は、この種の苗木１に対し、一端側３ａは支持部材２にしっかりと巻き付けることができ、苗木１に対しては他端側３ｂを用いて茎を傷めることなく巻き付けることができるものである。
【００３２】
而して、この実施形態の本考案品は、他端側３ｂと本体部分３ｃとが同じ帯幅に形成されている。磁極４は、この実施形態では両端側３ａ、３ｂはＮ極に、本体部分３ｃはＳ極に形成されている。本体部分３ｃは、図７、図９に示されるように、片側が一端側３ａに食い込まれた状態で延ばされている。
【００３３】
次にこの本考案品を使用する場合について、説明する。
先ず作業者は、一端側３ａを支持部材２に密着させて巻き付け、本体部分３ｃに重ね合わせる。この場合、磁極４は、図１０Ａに示されるように、Ｓ極とＮ極が対向するため、磁極４が互いに引き合い、その結果一端側３ａが本体部分３ｃに吸着する。
【００３４】
また作業者は、他端側３ｂを苗木１の茎に遊びを持ってゆるく巻き付け、本体部分３ｃに重ね合わす。他端側３ｂは、図１０Ｂに示されるように、対向する磁極４が異なるため、互いに引き合い、その結果吸着する。
【００３５】
また他端側３ｂは、同図Ｃに示されるように、苗木１を介して対向する磁極４が同種になるため、互いに反発し、苗木１と内面との間に隙間が作られる。
従って、本考案品は、他端側３ｂの内面と苗木１とが接触しにくくなるから、これによれば、茎を傷めることがない。
【符号の説明】
【００３６】
１      苗木類
２      支持部材
３      本体
３ａ    一端側
３ｂ    他端側
３ｃ    本体部分
４      磁極
【図１】
0003180054.tif 000003
【図２】
0003180054.tif 000004
【図３】
0003180054.tif 000005
【図４】
0003180054.tif 000006
【図５】
0003180054.tif 000007
【図６】
0003180054.tif 000008
【図７】
0003180054.tif 000009
【図８】
0003180054.tif 000010
【図９】
0003180054.tif 000011
【図１０】
0003180054.tif 000012